(57)【特許請求の範囲】
【請求項１】
ダイレクトブロー成形により成形され、その底面部に、曲面部と、該曲面部を挟んで突出配置された容器を立設させる支持脚部とを備えるダイレクトブロー成形容器であって、
前記曲面部は、容器本体の周壁部の下端と連続一体化して下方に突出する仮想の球面の一部を構成しており、隣接する前記曲面部の間に前記支持脚部が介在することにより、両側を当該支持脚部により挟まれて周方向に分割されると共に、
前記底面部の中央の円形領域にも、前記球面の一部を構成する中央曲面部が下方に露出して設けられており、
前記曲面部と接続する前記支持脚部の側壁面を通る前記底面部の中心側から水平方向外側に向かう全ての線分は、前記ダイレクトブロー成形によるパーティング面に対する前記曲面部側からの角度が前記底面部を平面視して９０度以上となるように、前記支持脚部が形成されており、
かつ前記支持脚部は、その下端部が、ダイレクトブロー成形における無理抜きが可能な高さだけ前記中央曲面部よりも下方に位置するように設けられているダイレクトブロー成形容器。
【請求項２】
前記曲面部は、その中心線が前記パーティング面に対して４５度の位置に来るように放射状に４カ所設けられると共に、前記支持脚部は、その中心線が前記パーティング面に対して０度及び９０度の位置に来るように放射状に４カ所設けられる請求項１記載のダイレクトブロー成形容器。
【請求項３】
前記支持脚部は、隣接する前記曲面部の間に介在して前記球面から斜め下方に各々突出する、稜線が角張ることなく湾曲した略４角錐形状の突出部分である請求項１又は２に記載のダイレクトブロー成形容器。
【発明の詳細な説明】
【０００１】
【産業上の利用分野】
本発明は、ダイレクトブロー成形容器に関し、特に、耐内圧性や自立性に優れたダイレクトブロー成形容器に関する。
【０００２】
【従来の技術及び発明が解決しようとする課題】
ダイレクトブロー成形やインジェクションブロー成形等のブロー成形により形成されたプラスチック容器は、飲料水や化粧品等を収容するのに好ましい容器として多用されている。かかるプラスチック容器は、落下時の衝撃や周囲の物とぶつかった際の衝撃等、外側から加えられる荷重に対して十分な強度を備える必要があると共に、特に加圧された流体やガスを発生する流体を収容する場合には、十分な耐内圧性を備える必要がある。
【０００３】
プラスチック容器を耐内圧性に優れた構造とするには、容器の横断面形状を円形若しくは円形に近い形として周壁面を円弧状にすると共に、底面を曲面状に形成することが効果的であるが、底面の全てを曲面状とすると、容器の自立性を保持できなくなる。このため、底面から複数の支持脚部を下方に突出させ、当該支持脚部を接地面に当接させて容器を立設させることにより、自立安定性を確保する底面部の構造が採用されている。
【０００４】
容器の底面部を曲面部と支持脚部とによって構成することにより耐内圧性及び自立性を兼ね備えた加圧流体のためのプラスチック容器は、例えば特開平４−２１５９３６号公報に記載されている。しかしながら、このプラスチック容器は、インジェクションブロー成形により形成されたものであって、底面部が凹凸の深い複雑な凹凸面となっているので、パーティング面を介して接合される一対の金型を用いるダイレクトブロー成形によって形成する場合には、金型を両側に抜くことが困難だった。すなわち、従来の耐内圧性及び自立性に優れたプラスチック容器は、底部分に専用の金型を用いて行うインジェクションブロー成形により形成されるものであり、少量多品種のプラスチック容器を製造するのに適したダイレクトブロー成形によって形成できる構成を備えていなかった。
【０００５】
本発明は、ダイレクトブロー成形によって容易に形成することのできる、耐内圧性及び自立性に優れたダイレクトブロー成形容器を提供することを目的とする。
【０００６】
【発明を解決するための手段】
本発明は、ダイレクトブロー成形により成形され、その底面部に、曲面部と、該曲面部を挟んで突出配置された容器を立設させる支持脚部とを備えるダイレクトブロー成形容器であって、前記曲面部は、容器本体の周壁部の下端と連続一体化して下方に突出する仮想の球面の一部を構成しており、隣接する前記曲面部の間に前記支持脚部が介在することにより、両側を当該支持脚部により挟まれて周方向に分割されると共に、前記底面部の中央の円形領域にも、前記球面の一部を構成する中央曲面部が下方に露出して設けられており、前記曲面部と接続する前記支持脚部の側壁面を通る前記底面部の中心側から水平方向外側に向かう全ての線分は、前記ダイレクトブロー成形によるパーティング面に対する前記曲面部側からの角度が前記底面部を平面視して９０度以上となるように、前記支持脚部が形成されており、かつ前記支持脚部は、その下端部が、ダイレクトブロー成形における無理抜きが可能な高さだけ前記中央曲面部よりも下方に位置するように設けられているダイレクトブロー成形容器を提供することにより、上記目的を達成したものである。
【０００７】
ここで、前記支持脚部の側壁面を通る線分は、前記側壁面上に描くことのできる線分であって、前記ダイレクトブロー成形容器を立設させた際の水平な面に沿って前記底面部の中心側から外側に向かって延長する線分を意味する。また、該線分の前記ダイレクトブロー成形によるパーティング面に対する前記曲面部側からの角度は、前記線分が直線である場合にはこれの延長方向の角度を、前記線分が曲線である場合には任意の位置における各接線方向の角度を意味する。
【０００８】
【発明の実施の形態】
図１〜図３に示す本発明の好ましい第１実施形態に係るダイレクトブロー成形容器１０は、例えばガスを発生することにより相当の内圧を生じる液体化粧料を収容するための、ダイレクトブロー成形によって形成されたプラスチック容器であって、その底面部１１に、曲面部１２と、該曲面部１２を挟んで下方に突出配置された支持脚部１３とを備える。
【０００９】
本第１実施形態のダイレクトブロー成形容器１０は、ＰＥ（ポリエチレン）からなり、その容器本体の周壁部１４は、直径５０ｍｍ程度、高さ１４０ｍｍ程度の円筒形状を有すると共に、その上端部には、雄ねじが形成された口頸部１５が設けられている。またダイレクトブロー成形容器１０は、パーティング面１７を介して接合される一対の金型（図示せず）による中空部にパリソンを押し出し、内部に空気を送り込むことにより膨張させ、金型の内壁面に押さえつけて冷却固化させることにより成形され、成形後は一対の金型を両側に抜くことによって取り出される。
【００１０】
本第１実施形態のダイレクトブロー成形容器１０によれば、その底面部１１を構成する曲面部１２は、その中心線１６がダイレクトブロー成形によるパーティング面１７（一対の金型のパーティング面が通過する面）に対して、底面部１１を下方から平面視して４５度の位置に来るように放射状に４カ所設けられると共に、支持脚部１３は、その中心線１８がパーティング面１７に対して、底面部１１を下方から平面視して０度及び９０度の位置に来るように放射状に４カ所設けられている。
【００１１】
また、曲面部１２と接続する支持脚部１３の側壁面１９を通る底面部１１の中心２０側から水平方向外側に向かう全ての線分２１は、当該側壁面１９が接続する曲面部１２側からのパーティン面１７に対する角度θが底面部１１を下方から平面視して９０度以上となるように、支持脚部１３が形成されている。
【００１２】
曲面部１２は、容器１０の周壁部１４の下端と連続一体化して１０〜３０ｍｍ程度の曲率半径で下方に突出する仮想の球面の一部を構成するものであって、隣接する曲面部１２の間に支持脚部１３が介在することにより、両側を当該支持脚部１３により挟まれて周方向に４分割されている。また、底面部１１の中央の直径１２ｍｍ程度の円形領域にも、上記球面が中央曲面部２２として下方に露出している。
【００１３】
すなわち、本第１実施形態のダイレクトブロー成形容器１０は、底面部１１にこれらの曲面部１２，２２を有することにより、耐内圧性に富んだ構造を備えることになる。
【００１４】
支持脚部１３は、隣接する曲面部１２の間に介在して上記球面から斜め下方に各々突出する、稜線が角張ることなく湾曲した略４角錐形状の突出部分であって、その下端部が、ダイレクトブロー成形における無理抜きが可能な高さだけ中央曲面部２２よりも下方に位置するように設けられる。これによって、成形容器１０を立設載置する際に、４カ所の支持脚部１３の下端を接地面に当接させて、曲面部１２，２２を接地面に接触させることなく安定した状態で自立させることが可能になる。
【００１５】
また、略４角錐形状の各支持脚部１３は、その中央側の一面２３が緩い勾配で中央曲面部２２に接続一体化すると共に、その外側の一面２４が急勾配で周壁部１４に接続一体化する。また両側の側壁面１９は、傾斜面となって両側の曲面部１２に各々接続一体化すると共に、上述のように、当該側壁面１９を通る、底面部１１の中心２０側から水平方向外側に向かう全ての線分２１は、パーティング面１７に対する曲面部１２側からの角度θが底面部１１を下方から平面視して９０度以上となっている。これによって、ダイレクトブロー成形により当該ダイレクトブロー成形容器１０を形成するべく一対の金型を側方に抜く際に、支持脚部１３は金型の移動を阻害することがなくなるので、成形容器１０を金型からスムースに抜き出すことが可能になる。
【００１６】
すなわち、本第１実施形態のダイレクトブロー成形容器は、耐内圧性及び自立性に優れると共に、ダイレクトブロー成形によっても容易に形成することができる。
【００１７】
図４〜図６は、参考例に係るダイレクトブロー成形容器３０を示すものであり、この成形容器３０は、底面部３１を除いて上記第１実施形態に係るダイレクトブロー成形容器１０と同様の構成を備えている。
【００１８】
本参考例のダイレクトブロー成形容器３０の底面部３１は、曲面部３２と、該曲面部３２を挟んで下方に突出配置された支持脚部３３とを備え、曲面部３２は、その中心線３４がパーティング面３５に対して９０度の位置に来るように底面部３１の中央を横断して、１０ｍｍ程度の幅で帯状に延設して１カ所に設けられている。また支持脚部３３は、曲面部３２を挟んでその両側に下方に突出して一対設けられている。
【００１９】
また、本参考例によれば、曲面部３２と接続する支持脚部３３の側壁面３６を通る底面部３１の中心３７側から水平方向外側に向かう全ての線分３８は、当該側壁面３６が接続する曲面部３２側からのパーティング面３５に対する角度θ’が底面部３１を下方から平面視して９０度以上となるように、支持脚部３３が形成されている。
【００２０】
なお、曲面部３２は、容器３０の周壁部１４の下端と連続一体化して１０〜３０ｍｍ程度の曲率半径で下方に突出する仮想の球面の一部を構成するものである。底面部１１が曲面部３２を備えていることにより、本参考例のダイレクトブロー成形容器３０は、耐内圧性に富んだ構造となる。
【００２１】
支持脚部３３は、平面形状が円形の底面部３１において、中央の帯状の曲面部３２を挟んだ両側に位置する弓形形状部分を下方に突出させて設けられたもので、その外周弧状部分は湾曲させた角部を介して容器３０の周壁部１４と接続一体化すると共に、その内側直線状部分は、傾斜する側壁面３６を介して曲面部３２に各々接続一体化する。支持脚部３３の中央には、これを２等分割するように横断してパーティング面３５が延長しており、このパーティング面３５を挟んだ各両側部分がさらに下方に突出して、合計４カ所の当接部４０となっており、成形容器３０を立設載置する際に、当接部４０を接地面に当接させて、曲面部３２を接地面に接触させることなく安定した状態で成形容器３０を自立させることが可能になる。
【００２２】
また、上述のように、支持脚部３３の側壁面３６を通る底面部３１の中心３７側から水平方向外側に向かう全ての線分３８は、パーティン面３５に対する曲面部３２側からの角度θ’が底面部３１を下方から平面視して９０度以上となっていることにより、ダイレクトブロー成形において一対の金型からスムースに成形容器３０を抜き出すことが可能になる。
【００２３】
すなわち、本参考例のダイレクトブロー成形容器もまた、耐内圧性及び自立性に優れると共に、ダイレクトブロー成形によって容易に形成することができる。
【００２４】
なお、本発明は、上記第１実施形態に限定されることなく種々の変更が可能である。例えば、底面部の形状は、上記第１実施形態のものに限定されるものではなく、支持脚部の側壁面を通る底面部の中心側から水平方向外側に向かう全ての線分がパーティング面に対する曲面部側からの角度が９０度以上となるように支持脚部が形成された種々の形状のものを採用することができる。また本発明のダイレクトブロー成形容器は、液体化粧料のみならずその他の内容物を収容する容器として使用することもできる。
【００２５】
【発明の効果】
本発明のダイレクトブロー成形容器は、耐内圧性及び自立性に優れ、かつダイレクトブロー成形によって容易に形成することができる。
【図面の簡単な説明】
【図１】（ａ）は、本発明の第１実施形態に係るダイレクトブロー成形容器の側面図、（ｂ）は、（ａ）のダイレクトブロー成形容器を９０度回転させた側面図である。
【図２】（ａ）は、図１（ｂ）の底部拡大図、（ｂ）は、図１（ａ）を４５度回転させた底部拡大図である。
【図３】本発明の第１実施形態に係るダイレクトブロー成形容器の底部拡大斜視図である。
【図４】（ａ）は、参考例に係るダイレクトブロー成形容器の側面図、（ｂ）は、（ａ）のダイレクトブロー成形容器を９０度回転させた側面図である。
【図５】（ａ）は、図５（ｂ）の底部拡大図、（ｂ）は、図５（ａ）の底部拡大図である。
【図６】参考例に係るダイレクトブロー成形容器の底部拡大斜視図である。
【符号の説明】
１０，３０ ダイレクトブロー成形容器
１１，３１ 底面部
１２，３２ 曲面部
１３，３３ 支持脚部
１４ 周壁部
１６，３４ 球面部の中心線
１７，３５ パーティング面
１８ 支持脚部の中心線
１９，３６ 支持脚部の側壁面
２０，３７ 底面部の中心
２１，３８ 線分
４０ 当接部
θ，θ’ 線分のパーティング面に対する角度
【図１】
0003818842.tif 000002
【図２】
0003818842.tif 000003
【図３】
0003818842.tif 000004
【図４】
0003818842.tif 000005
【図５】
0003818842.tif 000006
【図６】
0003818842.tif 000007